(57)【特許請求の範囲】
【請求項１】
円筒状電子写真用感光体の内壁に嵌合して円筒状電子写真用感光体を支持する樹脂製の取り付け支持体に固定され円筒状電子写真用感光体の内壁に一端を接触し他端を取り付けシャフトに接触する電子写真用感光体のアース板において、前記したアース板が中央部に一体に形成された垂下体を有し、この垂下体は、その固定端部と所定距離においてアース板の主面と鋭角をなして折れ曲がる第一の屈曲部と、垂下体の自由端部の近くで折れ曲がり前記取り付けシャフトと接触する第二の屈曲部を備え、かつ、第一の屈曲部と第二の屈曲部の間において幅員を絞ってなることを特徴とする電子写真用感光体のアース板。
【請求項２】
アース板がＣ５２１０Ｐ系のりん青銅である請求項１に記載の電子写真用感光体のアース板。
【発明の詳細な説明】
【０００１】
【発明の属する技術分野】
この発明は複写機等に用いられる電子写真用感光体のアース板に係り、特に取り付けシャフトとの接触安定性の良好なアース板に関する。
【０００２】
【従来の技術】
複写機やレーザープリンター等に用いられる電子写真用感光体はアルミニウム等の円筒基体上に電荷発生層，電荷輸送層，電荷発生層等の感光層を積層して形成される。このような電子写真用感光体はフランジやギア等の取り付け支持体を介して装置に取り付けられる。
【０００３】
電子写真プロセスで得られる画像の良否は感光層の電気的特性，外観特性の他に取り付け支持体の製作精度や組み立て精度の良否によっても左右される。さらに画像の良否は感光体の接地の良否によっても左右される。近年、コスト低減のためにフランジやギア等の取り付け支持体はＰＣやＰＯＭ  等の合成樹脂を用いて作製されるために取り付け支持体に金属製のアース板を載置し、この金属製のアース板を介して感光体の接地を図っている。
【０００４】
図４は従来のアース板を取り付け支持体および感光体とともに示す半断面図である。
取り付け支持体であるフランジ３は接着剤２を介して感光体１に固定される。フランジ３に載置されたアース板４の一端が円筒状感光体１の内壁に接触し、他端が図示しない取り付けシャフトに接触する。
【０００５】
図３は従来の異なるアース板を示し、３ａは正面図，３ｂは正面図のＸＸ矢視断面図である。
アース板は４つの凸部１０を円周部に配した円板で、中央部には垂下体（フラップ）５を打ち抜きにより円板と一体に形成している。６は円板の取り付け孔である。垂下体５はその固定端部において円板の主面と鋭角をなして折れ曲がる第一の屈曲部７と、垂下体の自由端部の近くで折れ曲がり図示しない取り付けシャフトと接触する第二の屈曲部８を有する。このようなアース板は例えばりん青銅Ｃ５２１０Ｐ−１／２Ｈを用いて製作される。板厚は０．３ｍｍである。垂下体の全長は２０ないし３５ｍｍであり、幅は５ないし１０ｍｍである。
【０００６】
【発明が解決しようとする課題】
しかしながら上述のような従来のアース板においては第二の屈曲部８における取り付けシャフトとの接触圧力が大きく、繰り返し使用により垂下体の第二の屈曲部８に削れが発生したり、孔が開いたりして取り付けシャフトを損傷する。その結果電子写真用感光体を繰り返し使用した際に異音が発生したり接触不良による画像障害が発生するという問題があった。
【０００７】
この発明は上述の点に鑑みてなされその目的は垂下体と取り付けシャフト間の接触圧を最適にして、繰り返し使用による異音や接触不良による画像障害の発生がなく信頼性に優れる電子写真用感光体のアース板を提供することにある。
【０００８】
【課題を解決するための手段】
上述の目的はこの発明によれば円筒状電子写真用感光体の内壁に嵌合して円筒状電子写真用感光体を支持する樹脂製の取り付け支持体に固定され円筒状電子写真用感光体の内壁に一端を接触し他端を取り付けシャフトに接触する電子写真用感光体のアース板において、前記したアース板が中央部に一体に形成された垂下体を有し、前記した垂下体はその固定端部と所定距離においてアース板の主面と鋭角をなして折れ曲がる第一の屈曲部と、垂下体の自由端部の近くで折れ曲がり前記取り付けシャフトと接触する第二の屈曲部を備え、かつ、第一の屈曲部と第二の屈曲部の間において幅員を絞ることにより達成される。
【０００９】
さらに上述の発明においてアース板がＣ５２１０Ｐ系のりん青銅であることが有効である。
垂下体の第一の屈曲部を垂下体の固定端部と離して設けると、第二の屈曲部の取り付けシャフトに対する接触圧力が下がる。
【００１０】
第一の屈曲部と第二の屈曲部の間において垂下体の幅員を絞ると第二の屈曲部の取り付けシャフトに対する接触圧力が下がる。
【００１１】
【発明の実施の形態】
アース板はＣ５２１０Ｐ−１／２ＨやＣ５２１０Ｐ−Ｈ等のＣ５２１０Ｐ系のりん青銅が用いられる。
板厚は０．２ｍｍないし０．４ｍｍが好適に用いられる。垂下体の全長は２０ないし３５ｍｍであり、幅は５ないし１０ｍｍが好適に用いられる。
【００１２】
【実施例】
実施例１
図１はこの発明の実施例に係るアース板を示し、（１ａ）は正面図、（１ｂ）は正面図のＸＸ矢視断面図である。
垂下体の固定端部と５ｍｍ離して第一の屈曲部を設けている。りん青銅Ｃ５２１０Ｐ−１／２Ｈを用い、板厚を０．３ｍｍとした。
実施例２
図２はこの発明の異なる実施例に係るアース板を示し、（２ａ）は正面図、（２ｂ）は正面図のＸＸ矢視断面図である。
【００１３】
第一の屈曲部と第二の屈曲部の間に絞り部９が設けられる他は実施例１と同様である。
実施例３
板厚を０．４ｍｍに替える他は実施例１と同様にしてアース板を作製した。
実施例４
板厚を０．４ｍｍに替える他は実施例２と同様にしてアース板を作製した。
実施例５
板厚を０．２ｍｍに替える他は実施例１と同様にしてアース板を作製した。
実施例６
板厚を０．２ｍｍに替える他は実施例２と同様にしてアース板を作製した。
実施例７
りん青銅Ｃ５２１０Ｐ−１／２Ｈをりん青銅Ｃ５２１０Ｐ−Ｈに替える他は実施例１と同様にしてアース板を作製した。
実施例８
りん青銅Ｃ５２１０Ｐ−１／２Ｈをりん青銅Ｃ５２１０Ｐ−Ｈに替える他は実施例２と同様にしてアース板を作製した。
実施例９
りん青銅Ｃ５２１０Ｐ−１／２Ｈをりん青銅Ｃ５２１０Ｐ−Ｈに替え、板厚を０．４ｍｍに替える他は実施例１と同様にしてアース板を作製した。
実施例１０
りん青銅Ｃ５２１０Ｐ−１／２Ｈをりん青銅Ｃ５２１０Ｐ−Ｈに替え、板厚を０．４ｍｍに替える他は実施例２と同様にしてアース板を作製した。
実施例１１
りん青銅Ｃ５２１０Ｐ−１／２Ｈをりん青銅Ｃ５２１０Ｐ−Ｈに替え、板厚を０．２ｍｍに替える他は実施例１と同様にしてアース板を作製した。
実施例１２
りん青銅Ｃ５２１０Ｐ−１／２Ｈをりん青銅Ｃ５２１０Ｐ−Ｈに替え、板厚を０．２ｍｍに替える他は実施例２と同様にしてアース板を作製した。
比較例１
図３に示す従来の異なるアース板を用いる他は実施例１と同様にしてアース板を作製した。
比較例２
図３に示す従来の異なるアース板を用い、板厚を０．４ｍｍに替える他は実施例１と同様にしてアース板を作製した。
比較例３
図３に示す従来の異なるアース板を用い、板厚を０．２ｍｍに替える他は実施例１と同様にしてアース板を作製した。
比較例４
図３に示す従来の異なるアース板を用い、りん青銅Ｃ５２１０Ｐ−１／２Ｈをりん青銅Ｃ５２１０Ｐ−Ｈに替える他は実施例１と同様にしてアース板を作製した。
比較例５
図３に示す従来の異なるアース板を用い、りん青銅Ｃ５２１０Ｐ−１／２Ｈをりん青銅Ｃ５２１０Ｐ−Ｈに替え、板厚を０．４ｍｍに替える他は実施例１と同様にしてアース板を作製した。
比較例６
図３に示す従来の異なるアース板を用い、りん青銅Ｃ５２１０Ｐ−１／２Ｈをりん青銅Ｃ５２１０Ｐ−Ｈに替え、板厚を０．２ｍｍに替える他は実施例１と同様にしてアース板を作製した。
【００１４】
得られたアース板を複写機に搭載して２００ｋ枚の繰り返し試験を行った。
その際に異音の発生と導通不良の有無を確認した。
表１に結果が示される。実施例１ないし１２に示すアース板の特性は良好である。
【００１５】
【表１】
0003608390.tif 000002
【００１６】
【発明の効果】
この発明によれば円筒状電子写真用感光体の内壁に嵌合して円筒状電子写真用感光体を支持する樹脂製の取り付け支持体に固定され円筒状電子写真用感光体の内壁に一端を接触し他端を取り付けシャフトに接触する電子写真用感光体のアース板において、前記したアース板が中央部に一体に形成された垂下体を有し、前記した垂下体はその固定端部と所定距離においてアース板の主面と鋭角をなして折れ曲がる第一の屈曲部と、垂下体の自由端部の近くで折れ曲がり前記取り付けシャフトと接触する第二の屈曲部を備え、さらに、第一の屈曲部と第二の屈曲部の間において垂下体の幅員を絞るので、垂下体の第一の屈曲部が垂下体の固定端部と所定の距離にあることにより第二の屈曲部の取り付けシャフトに対する接触圧力が下がって最適化され、繰り返し使用による異音や接触不良による画像障害の発生がなく信頼性に優れる電子写真用感光体のアース板が得られる。
【図面の簡単な説明】
【図１】この発明の実施例に係るアース板を示し、（１ａ）は正面図、（１ｂ）は正面図のＸＸ矢視断面図
【図２】この発明の異なる実施例に係るアース板を示し、（２ａ）は正面図、（２ｂ）は正面図のＸＸ矢視断面図
【図３】従来の異なるアース板を示し、（３ａ）は正面図、（３ｂ）は正面図のＸＸ矢視断面図
【図４】従来のアース板を取り付け支持体および感光体とともに示す半断面図
【符号の説明】
１    感光体
２    接着剤
３    フランジ
４    アース板
５    垂下体
６    取り付け孔
７    第一の屈曲部
８    第二の屈曲部
９    絞り部
１０    凸部
【図１】
0003608390.tif 000003
【図２】
0003608390.tif 000004
【図３】
0003608390.tif 000005
【図４】
0003608390.tif 000006